(57)【要約】【課題】【解決手段】本発明に沿ったシステムは、一組の現像器１３０，１３２，１３４，１３６と、外側表面を持つ感光体ベルト１０２と、軌道に沿った感光体ベルトの移動を支えるために動作可能に配置された一組の支持部材１０６，１０８，１１０とを備える電子写真法印刷装置１００を提供する。感光体ベルトは、少なくとも部分的に支持部材によって規定された形状を持つ。感光体ベルトの形状は、転写ポイント１２０で合わさる少なくとも二つの辺を持つ。二つの辺のうちの第一の辺１１６は感光体ベルトの外側表面と転写ポイントにおける装置の水平軸とのなす第一の角をもって伸び、二つの辺のうちの第二の辺１１８は感光体ベルトの外側表面と転写ポイントにおける装置の水平軸のなす第二の角をもって伸び、第一の角および第二の角はそれぞれ９０度未満である。各現像器は感光体ベルの形状の第一の辺あるいは第二の辺の付近に配置されている。【選択図】  図１
2004252389.tif 000002
【特許請求の範囲】
【請求項１】
電子写真法印刷装置であって、
外側表面を持つ感光体ベルトと、
軌道に沿って前記感光体ベルトの移動を支持するように作用可能に配置された支持部材であって、前記感光体ベルトは前記支持部材によって少なくとも部分において形状が規定されており、前記感光体ベルトの形状は転写ポイントで合わさる少なくとも二つの辺を持ち、前記二つの辺のうち第一の辺は前記感光体ベルトの前記外側表面から前記転写ポイントにおける前記装置の水平軸まで測定した第一の角をもって伸び、前記二つの辺のうち第二の辺は前記感光体ベルトの外側表面から前記転写ポイントにおける前記水平軸まで測定された第二の角をもって伸び、前記第一の辺および前記第二の辺は各々９０度以下である、支持部材と、
それぞれが前記感光体ベルトの形状の第一の辺および第二の辺の一方の付近に配置されている、複数の現像器と、を有する電子写真法印刷装置。
【請求項２】
請求項１の電子写真法印刷装置であって、
前記感光体ベルトがほぼ４２０ｍｍ以下の長さである、電子写真法印刷装置。
【請求項３】
請求項１の電子写真法印刷装置であって、
前記感光体ベルトの形状の第一の辺および第二の辺のどちらかの付近に配置されるクリーニング器をさらに含む、電子写真法印刷装置。
【請求項４】
請求項１の電子写真法印刷装置であって、
前記複数の現像器が配置される、第一の辺および第二の辺のどちらかに対向する辺の付近に配置されるクリーニング器をさらに含む、電子写真法印刷装置。
【請求項５】
請求項４の電子写真法印刷装置であって、
前記クリーニング器は前記対向する辺の長さにほぼわたって伸びる大きさである、電子写真法印刷装置。
【請求項６】
請求項５の電子写真法印刷装置であって、
前記クリーニング器は８２０立方センチメートルを超える容量を持つ、電子写真法印刷装置。
【請求項７】
請求項４の電子写真法印刷装置であって、
前記クリーニング器は、
基板シートに転写されなかった前記感光体ベルト上の余剰トナーを実質的に除去するように前記感光体ベルトに選択的に接触するよう構成された掻き取り部と、
前記除去された余剰トナーが当該回収室に重力によって落下するように前記掻き取り部と一直線に並んだ回収室と、を備える、電子写真法印刷装置。
【請求項８】
請求項４の電子写真法印刷装置であって、
前記クリーニング器は前記感光体ベルトの形状の第二の辺の付近に配置されており、
前記複数の現像器のそれぞれは前記感光体ベルトの形状の第一の辺の付近に配置されている、電子写真法印刷装置。
【請求項９】
請求項４の電子写真法印刷装置であって、
前記感光体ベルト、前記支持部材、および前記クリーニング器を収容するハウジングと、
前記クリーニング器の端部に取外し可能に連結され、前記感光体ベルトとは異なる前記ハウジングの垂直面内にあるように前記ハウジング内に配置されるごみ容器と、をさらに有する、電子写真法印刷装置。
【請求項１０】
請求項１の電子写真法印刷装置であって、
前記支持部材は前記感光体ベルトの形状を規定する複数の支持部材の一つである、電子写真法印刷装置。
【請求項１１】
請求項１０の電子写真法印刷装置であって、
前記感光体ベルトの張力を維持するために前記感光体ベルトに向かって前記支持部材をバイアスするように前記支持部材の一つに作用可能に連結されたバイアス手段をさらに含む、電子写真法印刷装置。
【請求項１２】
請求項１０の電子写真法印刷装置であって、
複数の前記支持部材のそれぞれがローラーである、電子写真法印刷装置。
【請求項１３】
請求項１０の電子写真法印刷装置であって、
前記複数の支持部材は転写ポイントに配置された一つの下方部材と二つの上方部材とを含み、
前記形状の前記第一の辺は前記二つの上方部材の内の一つから前記下方部材へ伸び、前記形状の前記第二の辺は前記下方部材から前記二つの上方部材の別の一つへと伸びる、電子写真法印刷装置。
【請求項１４】
請求項１３の電子写真法印刷装置であって、
前記感光体ベルトの前記形状は、前記下方部材と前記二つの上方部材とによって規定された正三角形ではない三角形である、電子写真法印刷装置。
【請求項１５】
請求項１３の電子写真法印刷装置であって、
前記下方部材の付近に配置されたローラーを持つ転写器をさらに含み、
前記ローラーは、前記感光体ベルト上の現像された静電潜像が基板シートに転写されるように、前記基板シートが前記転写器の前記ローラーと前記下方部材との間に供給されるときに、前記ローラーが前記感光体ベルトと連携して動くように構成されている、電子写真法印刷装置。
【請求項１６】
請求項１５の電子写真法印刷装置であって、
前記転写器の前記ローラーと前記下方部材とが実質的に垂直方向に一直線に整列している、電子写真法印刷装置。
【請求項１７】
請求項１５の電子写真法印刷装置であって、
前記転写器の前記ローラーから前記基板シートを受け取るよう配置された定着器をさらに含み、
前記転写器は、前記定着器によって前記基板シートが受け取られたときに前記基板シートを支えるために前記ローラーと前記定着器との間に配置された固定の支持部材を備える、電子写真法印刷装置。
【請求項１８】
請求項１の電子写真法印刷装置であって、
前記複数の現像器は前記感光体ベルトの前記形状の第一の辺および第二の辺のうちの一つに沿って垂直方向に互い違いに配置されている、電子写真法印刷装置。
【請求項１９】
請求項１の電子写真法印刷装置であって、
それぞれが前記感光体ベルトの外側表面の付近に配置された複数の帯電器をさらに含み、
前記複数の帯電器の第一のものは、前記感光体ベルトの移動方向において前記複数の現像器の上流に配置されており、前記複数の帯電器の第二のものは前記感光体ベルトの前記移動方向において前記複数の現像器の一部の上流に配置されている、電子写真法印刷装置。
【請求項２０】
請求項１９の電子写真法印刷装置であって、
それぞれが前記感光体ベルトの外側表面の付近に配置された複数の露光器をさらに含み、
前記露光器の第一のものは前記感光体ベルトの前記移動方向において前記第一の帯電器の下流に配置されており、前記露光器の第二のものは前記感光体ベルトの移動方向において前記第二の帯電器の下流に配置されている、電子写真法印刷装置。
【請求項２１】
請求項２０の電子写真法印刷装置であって、
前記現像器のそれぞれは異なる色のトナーが用いられている、電子写真法印刷装置。
【請求項２２】
請求項２１の電子写真法印刷装置であって、
前記感光体ベルトのパス一回の間に前記感光体ベルトの一領域に前記第一の帯電器および前記第二の帯電器がそれぞれ帯電を施すように選択的に制御し、前記感光体ベルトのパス一回の間において対応する静電潜像を前記一領域に形成するために、選択的に帯電が施されたときに前記一領域を前記第一の露光器および前記第二の露光器が露光するように選択的に制御し、そして前記感光体ベルトのパス一回の後に前記一領域に二色の現像された静電潜像が形成されるように前記第一の現像器が前記第一の露光器に対応する静電潜像を現像し前記第二の現像器が前記第二の露光器に対応する静電潜像を現像するように選択的に制御する制御手段を、さらに含む、電子写真法印刷装置。
【請求項２３】
請求項２２の電子写真法印刷装置であって、
前記制御手段は、前記感光体ベルトの二回の連続するパスの後に現像された静電潜像が四色であるように、第三の前記現像器が前記第一の露光器に対応する静電潜像を現像し、第四の前記現像器が前記第二の露光器に対応する静電潜像を現像するように選択的に制御するよう、さらに構成されている、電子写真法印刷装置。
【請求項２４】
請求項２０の電子写真法印刷装置であって、
前記感光体ベルトの張力を維持するために、前記複数の支持部材の一つに作用可能に連結され、前記感光体ベルトの方に前記一つの支持部材をバイアスするバイアス手段と、
前記第一の帯電器と前記一つの支持部材との間に配置され、前記一つの支持部材を前記感光体ベルトの方にバイアスすることに呼応して、前記第一の帯電器と前記第一の露光器の間における前記感光体ベルトの長さが変動するのを実質的に抑制するように前記感光体ベルトに接触する第一の把持部材と、をさらに有する電子写真法印刷装置。
【請求項２５】
請求項２０の電子写真法印刷装置であって、
複数の把持部材をさらに有し、
前記複数の把持部材のそれぞれは、当該把持部材と前期複数の現像器の一つとの間にそれぞれの隙間を実質的に維持するように、前記複数の現像器の対応する一つの近くで前記感光体ベルトに接触するように配置されている、電子写真法印刷装置。
【請求項２６】
請求項１９の電子写真法印刷装置であって、
複数の消去器をさらに有し、
前記複数の消去器のそれぞれは、前記感光体ベルトの付近であって、前記感光体ベルトの移動方向において前記複数複数の帯電器の対応する一つの上流に配置されている、電子写真法印刷装置。
【請求項２７】
電子写真法印刷装置であって、
外側表面を持つ感光体ベルトと、
下方先端を持ち、軌道に沿って前記感光体ベルトの移動を支持するように作用可能に配置された支持部材であって、前記感光体ベルトは前記支持部材によって形状が規定されており、前記感光体ベルトの形状は前記支持部材の前記下方先端に対応する転写ポイントで合わさる少なくとも二つの辺を持ち、前記二つの辺のうち第一の辺は前記感光体ベルトの前記外側表面から転写ポイントにおける前記装置の水平軸まで測定した第一の角をもって伸び、前記二つの辺のうち第二の辺は前記感光体ベルトの外側表面から前記転写ポイントにおける前記水平軸まで測定された第二の角をもって伸び、前記第一の辺および前記第二の辺は各々９０度以下である、支持部材と、
それぞれが前記感光体ベルトの形状の第一の辺および第二の辺の一方の付近に配置されている複数の現像器と、
前記転写ポイントにおいて前記支持部材の下方先端の付近に配置されたローラーを持つ転写器であって、前記感光体ベルト上の現像された静電潜像が基板シートに転写されるように、前記基板シートが前記転写器の前記ローラーと前記下方部材との間に供給されるときに、前記ローラーが前記感光体ベルトと連携して動くように構成されている、転写器と、を有する電子写真法印刷装置。
【請求項２８】
請求項２７の電子写真法印刷装置であって、
前記支持部材は、当該支持部材の下方先端に対応する一つの下方部材と少なくとも二つの上方部材を含んで構成され、前記形状の前記第一の辺は前記二つの上方部材の内の一つから前記下方部材へと伸び、前記形状の第二の辺は前記下方部材から前記二つの上方部材の別の一つへと伸びる、電子写真法印刷装置。
【請求項２９】
請求項２８の電子写真法印刷装置であって、
前記感光体ベルトの前記形状は前記下方部材と前記二つの上方部材によって規定された正三角形ではない三角形である、電子写真法印刷装置。
【請求項３０】
請求項２７の電子写真法印刷装置であって、
前記転写器の前記ローラーと前記支持部材の前記下方先端は実質的に垂直方向に一直線に整列している、電子写真法印刷装置。
【請求項３１】
請求項２７の電子写真法印刷装置であって、
前記転写器の前記ローラーから前記基板シートを受け取るよう配置された定着器をさらに有し、前記転写器は、前記定着器によって前記基板シートが受け取られた時に前記基板シートを支えるために前記ローラーと前記定着器との間に配置された固定の支持部材を持つ、電子写真法印刷装置。
【請求項３２】
請求項２７の電子写真法印刷装置であって、
前記複数の現像器は前記感光体ベルトの前記形状の第一の辺および第二の辺のうちの一つに沿って垂直方向に互い違いに配置されている、電子写真法印刷装置。
【発明の詳細な説明】
【０００１】
【発明の属する技術分野】
本発明は、一般に電子写真法に関するものであり、特に小型の電子写真法カラー印刷装置に関するものである。
【０００２】
【背景技術および発明が解決しようとする課題】
従来の技術
従来の電子写真法カラープリンタは、感光体ドラムあるいはベルト、帯電器、露光器、および、感光体ドラムあるいはベルトに関連して配置された各色のトナーを持つ複数の現像器を備える。一般に、感光体ドラムあるいはベルトの一領域が帯電器の一つから均一帯電を施され、次にその帯電領域は光像に対応する帯電パターン（静電潜像）を作成すべく露光器の一つによって露光される。その静電潜像を現像するために、感光体ドラムあるいはベルトは、引き続いて静電潜像を現像器の一つに配送し、そこで静電潜像はそれに関連した帯電トナーに晒され、その帯電トナーは潜像の帯電部分に付着する。その静電潜像の現像に二色以上のトナーが必要な場合、上記のステップが繰り返される。その静電潜像が完全に現像されると（全色が塗布されると）、感光体ドラムあるいはベルトは、現像された静電潜像を紙あるいは他の基板に転写する。典型的には、従来の電子写真法カラープリンタは、熱および圧力を使用して現像された静電潜像を基板に付着あるいは融合させる定着器を含む。そのような従来の電子写真法カラープリンタは、また、感光体ドラムあるいはベルトに関連して配置され、現像された静電潜像の一部として印刷紙に転写されなかった残留トナーを除去するために用いられるクリーニング器も含む。
【０００３】
典型的に、従来の電子写真法カラープリンタの構成部品、例えば感光体ドラムあるいはベルト、帯電器、露光器、現像器、およびクリーニング器などは、プリンタの大きさが不便にも大型化してしまうように配置されている。従来の電子写真法カラープリンタの中には、小型化を何とか実現するために、発熱する部品を感光体ドラムあるいはベルト付近に配置しているものもある。この従来の構成では、感光体ドラムあるいはベルトが過度の熱に晒される。これは、感光体ドラムあるいはベルトの寿命の短縮や実質的な劣化などを引き起こす問題である。
【０００４】
加えて、プリンタ自体の小型化を図るため、米国特許第５，３１３，２５９号（スミス）および米国特許第５，４７３，４２１号（マルヤマ）の特許に開示されているような従来の電子写真法カラープリンタは、感光体ベルトが、長楕円形あるいは三角形のパスを走行するように設計されており、帯電器、露光器、現像器およびクリーニング器は、その感光体ベルトの長楕円形あるいは三角形の走行パスの一つあるいはそれ以上の辺の外側に沿って配置されている。しかし、少なくとも一つの現像器は、ベルト上の静電潜像に付着すべくその現像器から放たれた現像トナーの一部が重力によって落下し、ベルトの静電潜像があるのとは別の領域を汚染してしまうような感光体ベルトに対する配置となっている。したがって、そのような従来の電子写真法カラープリンタの印刷の質は、劣化する。さらに、現像トナーの一部が他の静電潜像がある他のベルト領域に落下し、当該他の静電潜像を汚濁させたりボケさせたりする可能性もある。そしてさらに、一つの現像器の現像トナーの一部が落下し、当該一つの現像器の下に配置されている他の現像器のトナーを汚染する可能性ある。
【０００５】
さらに、小型化を図るために、マルヤマによる特許に開示されているような従来の電子写真カラープリンタのクリーニング器は、クリーニング器のブレードによって感光体ベルトから取り除かれた余剰トナーの一部が、（簡単に除去できるように廃棄容器へ直接落下するのではなく）重力によりベルト下方域へ落下するような感光体ベルトに対する配置となっていた。そしてこれは、余剰トナーのその一部がクリーニング器によりベルト下方域から掃き取られない場合、現像を待つ次の静電潜像の汚染につながる可能性がある。
【０００６】
加えて、従来の電子写真カラープリンタは、典型的には、感光体ベルトの底部側面に配置された転写器を備えている。現像された静電潜像が感光体ベルトから印刷紙あるいは他の基板へ転写される間、給紙されたシートは、従来の電子写真法カラープリンタの転写器および感光体ベルトの下方側面と密着せられる。下方側面に沿ったベルトの移動が給紙された基板と完全に同期していない場合、現像された潜像の給紙されたシートへの転写がボケたり、歪んだり、失敗したりする可能性が生じる。したがって、転写器と給紙されたシートとの同期は、従来の電子写真法カラープリンタのもう一つの課題になっている。
【０００７】
【課題を解決するための手段】
発明の概要
本発明は、小型でありながら二色以上の画像の高速印刷を行うために上記の課題を解決する電子写真法プリンタ装置を提供する。
【０００８】
本発明に係る電子写真印刷装置は、外側表面を持つ感光体ベルトと、走行パスに沿って感光体ベルトの移動を支持するよう配置された支持部材とを含む。感光体ベルトは、支持部材によって規定された形状となっている。感光体ベルトの形状は、転写ポイントで合わさる二つ以上の辺からなる。二辺のうちの第一の辺は、感光体ベルト外側表面から本装置の転写ポイントにおける水平軸までを測った第一の角をもって伸び、第二の辺は、感光体ベルト外側表面から転写ポイントにおける水平軸までを測った第二の角をもって伸びる。第一の角および第二の角はそれぞれ９０度未満である。電子写真印刷装置は、一組の現像器も含む。各現像器は、それぞれ感光体ベルトの形状の第一の辺および第二の辺のどちらかに隣接して配置され、重力によって落下する何れの現像器からの現像トナーも、感光体ベルトから離れた場所に落下し、しかも何れの現像器も実質的に汚染しないよう配置されている。
【０００９】
本電子写真印刷装置は、感光体ベルトの形状の第一の辺および第二の辺の何れかに隣接して配置され、感光体ベルト外側表面から余剰トナーを除去するよう構成されたクリーニング器をさらに含んでもよい。クリーニング器は、クリーニング器によって除去された余剰トナーが、重力によって感光体ベルトの外側表面に再び落下することが無いよう配置されている。
【００１０】
本電子写真印刷装置は、転写ポイントで支持部材の下方先端に隣接して配置されたローラーを持つ転写器をさらに含んでもよい。そのローラーは、基板シートを束縛することなく感光体ベルト上の現像された静電潜像が基板シートに転写されるように、基板シートが転写器のローラーと下方部材との間に給送される時に感光体ベルトと連携して動くように構成されている。
【００１１】
本電子写真印刷装置は、また、感光体ベルトに隣接して配置された二つの帯電器と、感光体ベルトに隣接して配置された二つの露光器と、各帯電器、各露光器、および各現像器に制御可能に連結された一つの制御器とをさらに含んでもよい。この制御器は、感光体ベルトのパス一回の間に感光体ベルトの一領域に各帯電器が次々に帯電を施すように選択的に動作させ、感光体ベルトのパス一回の間に前述した選択的に帯電させた領域に対応した静電潜像を作成するために、その選択的に帯電された領域を各露光器が次々に露光するように選択的に動作させるように構成されている。それに加えて、二色の現像された静電潜像が感光体ベルトのパス一回の間に前述した領域に形成されるように、本制御器は、二つの露光器のうち第一の露光器が生成した静電潜像を現像するために複数の現像器のうち第１の現像器を選択的に動作させ、次に、二つの露光器のうち第二の露光器が生成した静電潜像を現像するために、複数の現像器のうち第二の現像器を選択的に動作させてもよい。
【００１２】
本制御器は、また、感光体ベルトの第一のパスの後、静電潜像が現像された感光体ベルトの前述した領域を、次々に帯電させるように二つの帯電器のそれぞれを選択的に動作させてもよい。本制御器は、さらに、感光体ベルトの第二のパスの間に、対応する他の静電潜像を前記領域に作像するため、選択的に帯電された領域を次々に露光するように二つの露光器を動作させてもよい。本制御器は、感光体ベルトの第二のパスの間に第一の露光器によって作像された静電潜像を現像するように第三の現像器を選択的に動作させてもよい。また、本制御器は、感光体ベルトの連続した二回のパスの後現像された静電潜像が四色からなるように、感光体ベルトの第二のパスの間に第二の露光器によって作像された静電潜像を現像するように第四の現像器を選択的に動作させてもよい。
【００１３】
【発明の実施の形態】
望ましい実施形態の詳細な説明
図中の類似記号は、各図を通して共通に対応する部分を表す。本発明は物理的形状を持つことがあり、その特定の部分は、本明細書の中で詳細に説明され、図面によって示される。
【００１４】
本発明による電子写真法印刷装置は、従来の小型プリンタに見られる上記の諸問題（クリーニング器からの余剰トナーが重力により感光体ベルトに再付着するなど）を実質的に解決しながら小型の電子写真法印刷装置を提供するよう、感光体ベルトおよび付随部品（帯電器、露光器、現像器、およびクリーニング器など）が配置されている。
【００１５】
図１は、本発明の実施例にかかる電子写真法印刷装置１００の模式的な側面図である。電子写真法印刷装置１００は、外側表面１０４を持つ感光体ベルト１０２と、図１中の矢印Ａの示す方向の軌道に沿って感光体ベルト１０２の移動を支持するよう動作可能に配置された、ローラーなどの一組の支持部材１０６、１０８、および１１０を含む。電子写真法印刷装置１００は、感光体ベルト１０２を収容するハウジング１０１および支持部材１０６、１０８および１１０をさらに含んでもよい。
【００１６】
図１に示すように、感光体ベルト１０２は、少なくとも部分的に支持部材１０６、１０８および１１０によって形状が規定されている。他の実施例では、感光体ベルト１０２が少なくとも部分的には支持部材１０６、１０８および１１０によって規定されたのと同じ形状を持つように支持部材１０６、１０８および１１０が単一の支持部材１１２に統合され、感光体ベルト１０２内に設置されてもよい。感光体ベルト１０２は、隆起、突起、あるいは不均一な厚さなど（図示せず）の特徴があってもよく、それらも感光体ベルト１０２を支持部材１０６、１０８および１１０上に位置させた時のベルトの形状の規定に寄与する。この実施例では、電子写真法印刷装置１００は、ローラー１１４を動作させると感光体ベルト１０２が軌道すなわち感光体ベルト１０２の形状に沿って移動するように、感光体ベルト１０２および単一の支持部材１１２に対応して設置されたローラー１１４を持ってもよい。
【００１７】
感光体ベルト１０２の形状は、転写ポイント１２０で合わさる１１６および１１８の少なくとも二辺を備え、後に詳細を説明するように、転写ポイント１２０では感光体ベルト上の現像された静電潜像が印刷紙などの基板に転写される。転写ポイントは、単一支持部材１１２あるいは一組の支持部材１０６、１０８および１１０の一つによって感光体ベルト１０２に形成される先端に相当する感光体ベルト１０２の端部であってもよい。例えば、支持部材１０６、１０８および１１０は、下方の支持部材（例えば１０６）と二つの上方の支持部材（例えば１０８および１１０）を含んで構成されてもよい。この実施例では、感光体ベルト１０２の第一の辺１１６は、上方の支持部材の一つ（例えば１０８）から下方の支持部材１０６へ伸び、第二の辺１１８は下方の支持部材１０６から上方の支持部材のもう片方（例えば１１０）へと伸びている。この実施例における感光体ベルト１０２の形状は三角形であるが、電子写真法印刷装置１００が理想的な小形状であるためには、感光体ベルト１０２の長さが最小限になる正三角形以外の三角形であることが望ましい。
【００１８】
他の実施例では、転写ポイント１２０が感光体ベルト形状の第一の辺１１６および第二の辺１１８以外の辺あるいは平面に沿っていてもよい。この場合、感光体ベルト１０２の形状は、少なくとも四辺を持つ多角形である。
【００１９】
二辺のうち第一の辺（例えば感光体ベルト形状の第一の辺１１６）は、感光体ベルト１０２の外側表面１０４から転写ポイント１２０における装置１００の水平軸１２２へと測定した第一の角１２４をなして伸びている。二辺のうち第二の辺（例えば感光体ベルト形状の第二の辺１１８）は、感光体ベルトの外側表面１０４から水平軸１２２へと測定した第二の角１２６をなして伸びている。第一の角１２４および第二の角１２６はそれぞれ９０度未満であり、以下にさらに詳述するように第一の辺１１６および第二の辺１１８に沿って配置された各部品に関係するトナーが感光体ベルト１０２上に重力によって落下付着しないようになっている。
【００２０】
第一の辺１１６および第二の辺１１８に沿って配置された各部品に関係するトナーの感光体ベルト１０２上への重力による落下をさらに抑制するため、第一の角１２４および第二の角１２６はそれぞれ３５度から８９度の範囲内、できれば５０度から８０度の範囲内であることが望ましい。
【００２１】
電子写真法印刷装置１００は、バイアス手段１２８をさらに含んでもよい。バイアス手段１２８は、支持部材１０６、１０８、および１１０の一つ（例えば支持部材１１０）に動作可能に連結され、感光体ベルト１０２の張力を維持するためにその一つの支持部材（例えば支持部材１１０）に感光体ベルト１０２の方向へバイアスをかける。ている。バイアス手段１２８がもたらす張力は、感光体ベルト１０２の支持を維持するのに十分な張力であり、その結果、感光体ベルト１０２の長期使用によって生じるスベリなどが実質的に抑制される。
【００２２】
さらに、電子写真法印刷装置１００は、第一の帯電器１４０と、バイアス手段１２８に動作可能に連結されている支持部材１１０との間に配置された第一の把持部材１２９を含んでもよい。第一の把持部材１２９は、前記一つの支持部材１１０を感光体ベルト１０２の方にバイアスする結果として生じる第一の帯電器１４０と第一の露光器１５０の間における感光体ベルト１０２の長さの変動を抑制するように、感光体ベルト１０２に接触している。
【００２３】
引き続き図１において、一つの実施例では、電子写真法印刷装置１００は、モノクロあるいは単一色印刷をサポートするように、感光体ベルト１０２との関連においてコンパクトに配置された、一つの現像器１３０、一つの帯電器１４０、一つの露光器１５０、および一つの単独消去器１６０を備えていてもよい。
【００２４】
他の実施例では、現像器１３０は、二つ以上の現像器（例えば１３０、１３２、１３４および１３６の内の二つ）からなるグループの一つであってもよい。この実施例では、各現像器（例えば１３０、１３２、１３４、および１３６）は、電子写真法印刷装置１００が少なくとも二色の印刷をサポートできるように、それぞれ異なる色のトナーを用いていてもよい。図１に示すように、現像器１３０は四つ以上の現像器（例えば１３０、１３２、１３４、および１３６）からなるグループの一つであってもよく、その各現像器（例えば１３０、１３２、１３４および１３６）は、電子写真法印刷装置１００が少なくとも四色印刷をサポートできるように、それぞれ異なる色のトナーを用いていてもよい。
【００２５】
各現像器１３０、１３２、１３４および１３６は、「オン」の状態では、感光体ベルト１０２上の静電潜像（帯電パターンを持つ感光体ベルト上の領域）に転写するために、当該現像器のトナーの一部を供給するように構成されている。それぞれの現像器（例えば１３０、１３２、１３４および１３６）から転写されたトナー部分（あるいは現像されたトナー）は、そのトナーの色を持つ現像された静電潜像となる。
【００２６】
各現像器１３０、１３２、１３４、および１３６は、感光体ベルト１０２の形状の第一の辺１１６あるいは第二の辺１１８に隣接して配置されている。図１に示すように、現像器１３０、１３２、１３４、および１３６は、感光体ベルト１０２の形状の第一の辺１１６あるいは第二の辺１１８に沿って垂直方向に互い違いに設けられて、転写されたトナー部分あるいは各現像器１３０，１３２，１３４、および１３６によって現像されたトナーが重力によって感光体ベルトから離れた位置に落下して、感光体ベルト１０２が現像されたトナーで汚染されないようにし、また各現像器（例えば１３０）の垂直下方に配置された現像器（例えば１３２、１３４、および１３６）が汚染されないようになっている。
【００２７】
各現像器１３０、１３２、１３４、および１３６をハウジング１０１の一方から取外しおよび交換できるようにし、かつ、二色以上の画像を印刷する際に感光体ベルト１０２の移動距離を最短にするため、各現像器１３０、１３２、１３４および１３６は、感光体ベルト１０２の形状の第一の辺１１６に沿って配置されることが望ましい。この実施例においては、第一の辺１１６は第二の辺１１８よりも長い。
【００２８】
図１に示すよう、電子写真法印刷装置１００は把持部材１３１、１３３、１３５、および１３７のグループを含んでもよい。各把持部材１３１、１３３、１３５、および１３７が当該把持部材と現像器１３０、１３２、１３４、および１３６のグループ内の対応する現像器との間にそれぞれの隙間を維持するように、各把持部材１３１、１３３、１３５、および１３７は現像器１３０、１３２、１３４および１３６のグループ内の対応する現像器の近くで感光体ベルト１０２に接触するように配置されている。それぞれの隙間を維持することにより、各把持部材１３１、１３３、１３５、および１３７は、各現像器１３０、１３２、１３４、および１３６による潜像の現像の精度を向上させる。
【００２９】
二色以上の印刷を可能にするため、電子写真法印刷装置１００は帯電器１４０および１４２のグループを含んでもよい。各帯電器１４０および１４２は、現像器１３０、１３２、１３４、および１３６の内の一つが「オン」の時に、その一つの現像器によって静電潜像が現像される感光体ベルト１０２の領域に均一帯電を施すことのできるＡＣあるいはＤＣコロナ（ｃｏｒｏｎａ）、コロトロン（ｃｏｒｏｔｒｏｎ）、スコロトロン（ｓｃｒｏｔｒｏｎ）、ダイコロトロン（ｄｉｃｏｒｏｔｒｏｎ）、ピンスコロトロン（ｐｉｎ  ｓｃｏｒｏｔｒｏｎ）あるいは他のいかなる装置であってもよい。各帯電器１４０および１４２は、感光体ベルトの外側の表面１４０に付近に配置されている。帯電器１４０および１４２のグループの一つ目（例えば１４０）は、感光体ベルト１０２の移動方向において現像器１３０、１３２、１３４、および１３６の上流に配置されている。図１にあるように、移動方向は矢印Ａとして示す。帯電器１４０および１４２のグループの二つ目（例えば１４２）は、感光体ベルト１０２の移動方向において現像器グループの一部の上流に配置されている。
【００３０】
二色以上のカラー印刷を可能にするため、電子写真法印刷装置１００は露光器１５０および１５２のグループを含んでもよい。露光器１５０および１５２のそれぞれは、（帯電器１４０あるいは１４２によって）均一帯電を施した感光体ベルト１０２の領域にそれぞれの光パターンを投射することが可能なレーザーあるいは発光ダイオード（ＬＥＤ）プリンタヘッド（ＬＰＨ）などの光源である。この場合、現像器１３０、１３２、１３４、および１３６の内の一つが「オン」の時に、その一つの現像器によって静電潜像が現像されるように、均一な帯電域は部分的に放電される。露光器１５０および１５２は、それぞれ感光体ベルトの付近に配置されている。露光器１５０および１５２の一つ目（例えば１５０）は、感光体ベルト１０２の移動方向において第一の帯電器１４０の下流に配置されている。露光器１５０および１５２の二つ目（例えば１５２）は、第二の帯電器１４２の下流に配置されている。
【００３１】
現像器１３０、１３２、１３４、および１３６の一つによって現像される静電潜像を形成するために、各帯電器１４０および１４２は露光器１５０および１５２の何れか一つと組み合わせて使用してもよい。静電潜像を二色以上で現像するため、第一の帯電器１４０は第一の露光器１５０と組み合わせて使用するのが望ましく、第二の帯電器１４２は第二の露光器と組み合わせて使用するのが望ましい。そうすることによって感光体ベルト１０２のパス一回で二色現像が行え、パス二回で四色現像が行える。感光体ベルト１０２の一回のパスとは、その移動距離を最短に抑えるために感光体ベルト１０２上の現像された静電潜像が転写ポイント１２０を一回だけ通過することに対応する。例えば、第一の帯電器１４０および第一の露光器１５０は、第一のパスで現像器１３０のための第一の静電潜像を作成し、第二のパスで現像器１３２のための第二の静電潜像を作成する。同様にして、第二の帯電器１４２および第二の露光器１５２は、第一のパスで現像器１３４のための第三の静電潜像を、第二のパスで現像器１３６のための第四の静電潜像を作成する。
【００３２】
電子写真法印刷装置１００は、消去器１６０および１６２のグループをさらに含んでいてもよい。各消去器１６０および１６２は、帯電器１４０および１４２の一つがその領域に均一帯電を施すよう選択される前に、その領域を実質的に放電するよう構成されている。各消去器１６０および１６２は、感光体ベルトの付近に配置されている。消去器１６０および１６２の一つ目（例えば１６０）は、感光体ベルト１０２の移動方向において第一の帯電器１４０の上流に配置されている。消去器１６０および１６２の二つ目は、第二の帯電器１４２の上流に配置されている。
【００３３】
上記の通り、電子写真法印刷装置１００は、クリーニング器１７０を含んでいてもよく、そのクリーニング器１７０は、感光体ベルト１０２の形状の第一の辺１１６あるいは第二の辺１１８のどちらかの付近に配置されていてもよい。図１に示す一つの実施例では、感光体ベルト１０２の長さが最短になるよう、現像器１３０、１３２、１３４、および１３６は第一の辺１１６に配置され、クリーニング器１７０は第二の辺１１８に配置されている。クリーニング器１７０は、基板シートに転写されなかった感光体ベルト１０２上の余剰トナーを実質的に除去するために、感光体ベルトに選択的に接触するよう構成された掻き取り部１７２を含んでいてもよい。クリーニング器１７０は、さらに、除去された余剰トナーが重力によって落ち込むように掻き取り部と一直線に並ぶ回収室１７４を含んでいてもよい。
【００３４】
図２に示すように、クリーニング器１７０はオーガー（らせん錐）などの除去部１７６、およびごみ容器１７８を含んでいてもよい。除去部１７６は回収室１７４内に配置され、回収室内のトナーをごみ容器１７８へ除去するように動作可能に設置されている。ごみ容器１７８は、クリーニング器１７０の端部に取外し可能に連結され、感光体ベルト１０２とは異なるハウジング１０１の垂直面内にあるようにハウジング内に配置されている。この実施例では、ごみ容器１７８は容積が８２０立方センチメートル以内の大きな容量を持っていてもよい。それによって感光体ベルト１０２の動作に干渉することがなく、しかも、ごみ容器１７８に溜まったトナーを廃棄するためにユーザーがごみ容器を取外す作業頻度が少なくて済む。
【００３５】
図３に示す別の実施例では、電子写真法印刷装置１００は、クリーニング器３００を含んでいてもよく、それは感光体ベルト１０２の形状の第一の辺１１６あるいは第二の辺１１８のどちらかの付近に配置されていてもよい。この実施例では、感光体ベルト１０２の長さをできるだけ短くするため、各現像器１３０、１３２、１３４、および１３６（図３に図示せず）は第一の辺１１６側に配置され、クリーニング器３００は第二の辺１１８側に配置されている。クリーニング器３００は取外し可能で、感光体ベルト１０２から重力により落下する余剰トナーの回収ができるように、第二の辺のかなりの部分にわたってもよい。クリーニング器３００は、感光体ベルト１０２の幅と同じかそれ以上の幅を持つことが望ましい。望ましい実施の形態においては、クリーニング器３００は、溜まった余剰トナーの廃棄のためにクリーニング器３００を取外すことなく余剰トナーの回収を最適化するために、第二の辺１１８の長さにほぼわたる長さである。
【００３６】
図４に示す通り、クリーニング器３００は、基板シートに転写されなかった感光体ベルト１０２上の余剰トナーを実質的に除去するために、選択的に感光体ベルト１０２に接触するよう構成されたブレード機構あるいは掻き取り部４００を含んでいてもよい。クリーニング器３００は、除去された余剰トナーが重力により回収室４０２に落下するように、掻き取り部４００と一直線に並んだ、取外し可能な回収室４０２をさらに含んでもよい。回収室４０２は第二の辺１１８の長さの大部分あるいはその長さをカバーするように改造されているため、回収室４０２は回収室１７４より大型であってよく、除去部１７６あるいはごみ容器１７８がなしで余剰トナーを回収することも可能である。この実施例では、回収室４０２は８２０立方センチメートルあるいはそれ以上の容積であってよい。それによって感光体ベルト１０２の動作に干渉することがなく、しかもごみ容器１７８に溜まったトナーを廃棄するためにユーザーがごみ容器を取外す作業頻度が少なくて済む。
【００３７】
図１に示す実施例に戻るが、現像器１３０、１３２、１３４、および１３６、帯電器１４０および１４２、露光器１５０および１５２、消去器１６０および１６２、ならびにクリーニング器１７０は、感光体ベルト１０２が４２０ミリメートル以下の長さであるように、感光体ベルトとの関連をもって配置されている。その結果、電子写真法印刷装置１００は、小型でありながら、従来のカラープリンタに見られる上記の印刷上の課題を克服できる。
【００３８】
電子写真法印刷装置１００は、転写ポイント１２０で、支持部材１０６、１０８、および１１０の下方の支持部材１０６、あるいは単一支持部材１１２の下方先端１０６の付近に配置されたローラー１８２を持つ転写器１８０をさらに含んでもよい。ローラー１８２は、感光体ベルト１０２上の現像された静電潜像が基板シートに転写されるように、基板シートが転写器１８０のローラー１８２と下方の支持部材あるいは先端１０６との間に供給される時にローラー１８２と感光体ベルト１０２とが連携して動くように構成されている。一つの実施例では、ローラー１８２と下方の支持部材あるいは先端１０６とは実質的に、垂直方向に一直線に並んでいる。
【００３９】
電子写真法印刷装置１００は、転写器１８０のローラー１８２から基板シートを受け取るように配置された定着器１８４を含んでいてもよい。定着器１８４は、基板が定着器１８４を通過する時に現像された静電潜像を基板表面に熱定着するように動作するように構成されている。図１に示す実施例では、その定着器は二つのローラー１８６および１８８を含み、それらローラーの間を通過しながら現像された静電潜像を基板に熱定着する。図１に示したように、転写器１８０は、転写器１８０のローラー１８２と定着器１８４との間に配置された固定の支持部材１８９を含んでいてもよい。固定の支持部材１８９は、定着器が基板シートを受け取る間、基板シートを支持するように構成されている。さらに、固定の支持部材１８９は、定着器１８４が感光体ベルト１０２から実質的に離れた所に配置されることを可能とする。それによって、感光体ベルト１０２の寿命が長くなる。
【００４０】
電子写真法印刷装置１００は、帯電器１４０および１４２、露光器１５０および１５２、ならびに現像器１３０、１３２、１３４、および１３６に対して作用可能に接続され、これらの機器の動作を制御する制御器１９０をさらに含む。制御器１９０は、さらに、支持部材１０６、１０８、および１１０に関連して感光体ベルトの移動を制御するために、少なくとも一つの支持部材１０６、１０８、および１１０に（例えば図示されていないモーターなどを介して）作用可能に接続されていてもよい。制御器１９０は、帯電器１４０および１４２、露光器１５０および１５２、ならびに現像器１３０、１３２、１３４、および１３６の動作を、感光体ベルト１０２の移動に実質的に同期化させるように、動作可能に構成されている。
【００４１】
印刷装置１００が単一支持部材１１２を持つ実施例では、帯電器１４０および１４２、露光器１５０および１５２、ならびに現像器１３０、１３２、１３４、および１３６の動作を、感光体ベルト１０２の移動に実質的に同期化して感光体ベルト１０２が移動するように、単一支持部材１１４に関連して制御する制御器１９０がローラー１１４に作用可能に接続されていてもよい。
【００４２】
制御器１９０は、メモリー１９２、二次記憶装置１９４、プロセッサー１９６、そしてＩ／Ｏデバイス１９８を含んでいてもよい。メモリー１９２は、プロセッサー１９６を介して制御器１９０が実行する一連の命令でありうる印刷ツール１９９を含んでいてもよい。別の実施例では、制御器１９０は印刷ツール１９９を実行するように構成されたＡＳＩＣ（特定用途向け集積回路）あるいは他の知られたプログラム可能なデバイスを含んでもよい。
【００４３】
印刷ツール１９９などの本発明の特徴部がメモリーに記憶されたものとして示したが、この技術に通じた者なら、そうした特徴部が、ハードディスク、フレキシブルディスク、あるいはＣＤ−ＲＯＭなどの二次記憶デバイス、インターネットなどのネットワークからの搬送波、あるいは現在知られているか将来開発される他の形式のＲＡＭあるいはＲＯＭなどのコンピュータ読み取り可能な他のタイプのメディアに記憶させたり、それから読み取ったりしてもよいということが理解できるであろう。
【００４４】
印刷ツール１９９を実行するときには、制御器１９０は、第一の帯電器１４０および第二の帯電器１４２のそれぞれが、感光体ベルト１０２のパス一回（例えばパス二回の内の最初のパス）の間に感光体ベルト１０２上の一領域に、帯電を好ましくは均一な帯電として連続的に施すことを選択的に行わせてもよい。制御器１９０は、感光体ベルトのパス一回の間に感光体ベルト上の領域に対応する静電潜像を形成するために、第一の露光器１５０および第二の露光器１５２のそれぞれが選択的に帯電された領域を次々に露光するようにさせてもよい。また、感光体ベルト１０２の一回のパスで所定の領域に二色に現像された静電潜像が形成されるようにするため、制御器１９０は、第一の露光器１５０によって形成された静電潜像を現像するために、現像器１３０、１３２、１３４、および１３６の一つ目を選択的に「オン」の状態にし、それから第二の露光器１５２によって形成された静電潜像を現像するために、現像器１３０、１３２、１３４、および１３６の二つ目を選択的に「オン」の状態にしてもよい。
【００４５】
感光体ベルト１０２の次に続く二回目のパスの間に印刷ツール１９９を動作させるときには、制御器１９０は、さらに、第一の帯電器１４０および第二の帯電器１４２が、感光体ベルトの第一回目のパスの間に二色で現像された静電潜像のある感光体ベルト１０２上の領域に、望ましくは均一帯電を次々に施すよう、選択的に制御してもよい。制御器１９０は、さらに、第一の露光器１５０および第二の露光器１５２のそれぞれが、感光体ベルトの第二回目のパスの間に所定の領域に別の対応する静電潜像を形成するように、選択的に帯電された領域を次々に露光するように制御してもよい。制御器１９０は、さらに、現像器１３０、１３２、１３４、および１３６の三番目が、感光体ベルト１０２の第二回目のパスの間に第一の露光器１４２によって形成された静電潜像を現像するように選択的に制御してもよい。感光体ベルトの二回の連続するパスの後に現像された静電潜像が四色からなるように、制御器１９０は、さらに、現像器１３０、１３２、１３４、および１３６の四番目が、感光体ベルト１０２の第二回目のパスの間に第二の露光器１５２によって形成された静電潜像を現像するように選択的に制御してもよい。
【００４６】
さらに、印刷ツール１９９を使用する制御器１９０は、本発明に沿った方法やシステムに従って、感光体ベルト１０２のパス一回でモノクロあるいは単色の画像を印刷することができる。前述のように、制御器は、感光体ベルト１０２の一回のパスを、感光体ベルト１０２の移動距離を最短にするために、感光体ベルト１０２上の現像された静電潜像が転写ポイント１２０を一回通過することに該当すると認識するように構成されている。電子写真法印刷装置１００が、図１に示したように、四つ以上の現像ステーション１３０、１３２、１３４、および１３６（Ｄ１、Ｄ２、Ｄ３、およびＤ４に該当する）、二つ以上の帯電ステーション１４０および１４２（Ｃ１およびＣ２に該当する）、そして二つ以上の露光ステーション１５０および１５２（Ｌ１およびＬ２に該当する）を備える場合、制御器１９０は、少なくとも次に挙げる構成要素の組み合わせを含む組み合わせによって、あるいはそれ以外の組み合わせによって、一回のパスでモノクロ画像が形成されるよう制御してもよい。［Ｃ１＋Ｌ１＋Ｄ１］あるいは［Ｃ１＋Ｌ１＋Ｄ２］あるいは［Ｃ１＋Ｌ１＋Ｄ３］あるいは［Ｃ１＋Ｌ１＋Ｄ４］あるいは［Ｃ２＋Ｌ２＋Ｄ３］あるいは［Ｃ２＋Ｌ２＋Ｄ４］あるいは［Ｃ２＋Ｌ２＋Ｄ１］あるいは［Ｃ２＋Ｌ２＋Ｄ２］。
【００４７】
印刷ツール１９９を使用する制御器１９０は、本発明に沿った方法やシステムに従って、感光体ベルト１０２のパス一回あるいは二回で二色の画像を印刷することができる。上記の通り、制御器は、感光体ベルト１０２の一回のパスを、感光体ベルト１０２の移動距離を最短にするために、感光体ベルト１０２上の現像された静電潜像が転写ポイント１２０を一回通過することに該当すると認識するように構成されていてもよい。電子写真法印刷装置１００が、図１に示したように、四つ以上の現像ステーション１３０、１３２、１３４、および１３６、二つ以上の帯電ステーション１４０および１４２、そして二つ以上の露光ステーション１５０および１５２を備える場合、制御器１９０は、次に挙げる構成要素の組み合わせを含む組み合わせによって、あるいはそれ以外の組み合わせによって、一回のパスで二色の画像が形成されるよう制御してもよい。（［Ｃ１＋Ｌ１＋Ｄ１］＋［Ｃ２＋Ｌ２＋Ｄ３］）あるいは（［Ｃ１＋Ｌ１＋Ｄ１］＋［Ｃ２＋Ｌ２＋Ｄ４］）あるいは（［Ｃ１＋Ｌ１＋Ｄ２］＋［Ｃ２＋Ｌ２＋Ｄ３］）あるいは（［Ｃ１＋Ｌ１＋Ｄ２］＋［Ｃ２＋Ｌ２＋Ｄ４］）。
【００４８】
さらに、制御器１９０は、二つの帯電器１４０および１４２のどちらか（すなわちＣ１あるいはＣ２）が動作不能、あるいは二つの露光器１５０および１５２のどちらか（すなわちＬ１あるいはＬ２）が動作不能であることを判断するように動作可能に構成され、そのため、制御器１９０が、次に挙げる組み合わせや他の組み合わせにより二回以上のパスで二色の画像が印刷されるように制御してもよい。［パス１（Ｃ１＋Ｌ１＋Ｄ１）＋パス２（Ｃ１＋Ｌ１＋Ｄ２）］あるいは［パス１（Ｃ２＋Ｌ２＋Ｄ３）＋パス２（Ｃ２＋Ｌ２＋Ｄ４）］。
【００４９】
印刷ツール１９９を使用する制御器１９０は、さらに、本発明に沿った方法やシステムに従って、感光体ベルト１０２のパス二回あるいはそれ以上で四色の画像を印刷してもよい。上記のように、制御器は、感光体ベルト１０２の一回のパスを、感光体ベルト１０２の移動距離を最短にするために、感光体ベルト１０２上の現像された静電潜像が転写ポイント１２０を一回通過することに該当すると認識するように構成されていてもよい。電子写真法印刷装置１００が図１に示すように構成されている場合、制御器１９０は次に挙げる組み合わせによって、あるいはそれ以外の組み合わせによって、二回のパスで四色の画像を印刷するよう図５に示した工程を実行してもよい。｛パス１［（Ｃ１＋Ｌ１＋Ｄ１）＋（Ｃ２＋Ｌ２＋Ｄ３）］＋パス２［（Ｃ１＋Ｌ１＋Ｄ２）＋（Ｃ２＋Ｌ２＋Ｄ４）］｝。
【００５０】
さらに、制御器１９０は、二つの帯電器１４０および１４２のどちらか（すなわちＣ１あるいはＣ２）が操作不能、あるいは二つの露光器１５０および１５２のどちらか（すなわちＬ１あるいはＬ２）が操作不能であると判断できてもよく、そのため、制御器１９０は、次に挙げる組み合わせによって、あるいはそれ以外の組み合わせによって、二回あるいはそれ以上のパスで四色の画像が印刷されるように制御してもよい。
【００５１】
［パス１（Ｃ１＋Ｌ１＋Ｄ１）＋パス２（Ｃ１＋Ｌ１＋Ｄ２）＋パス３（Ｃ１＋Ｌ１＋Ｄ３）＋パス４（Ｃ１＋Ｌ１＋Ｄ４）］あるいは
［パス１（Ｃ２＋Ｌ２＋Ｄ１）＋パス２（Ｃ２＋Ｌ２＋Ｄ２）＋パス３（Ｃ２＋Ｌ２＋Ｄ３）＋パス４（Ｃ２＋Ｌ２＋Ｄ４）］。
【００５２】
本発明のさまざまな実施例が示されたが、本技術分野において通常の知識を有する者には、本発明の要旨の範囲内において多くの他の実施例が可能であることは明白であろう。それゆえ、本発明は、添付した請求項およびそれらの均等範囲以外の考慮によっては制限されない。
【図面の簡単な説明】
【図１】本発明の実施例にかかる電子写真法印刷装置を示す側面図である。
【図２】図１に示された電子写真法印刷装置の側面図および端面図の併合図である。
【図３】本発明の他の実施例にかかる電気写真法印刷装置の側面図である。
【図４】図３に示された電子写真法印刷装置のクリーニング器の例を示す斜視図である。
【符号の説明】
１００  電子写真法印刷装置
１０１  ハウジング
１０６，１０８，１１０  支持部材
１１４，１８０，１８２，１８６，１８８  ローラー１０２  感光体ベルト
１１６  第一の辺
１１８  第二の辺
１２０  転写ポイント
１２４  第一の角
１２６  第二の角
１２８  バイアス手段
１３０，１３２，１３４，１３６  現像器
１７０  クリーニング器
１７２，４００  掻き取り部
１７４，４０２  回収室
１７８  ごみ容器
１４０，１４２  帯電器
１８４  定着器
１８０  転写器
１８９  固定の支持部材
【図１】
2004252389.tif 000003
【図２】
2004252389.tif 000004
【図３】
2004252389.tif 000005
【図４】
2004252389.tif 000006
【外国語明細書】
2004252389.tif 000007
2004252389.tif 000008
2004252389.tif 000009
2004252389.tif 000010
2004252389.tif 000011
2004252389.tif 000012
2004252389.tif 000013
2004252389.tif 000014
2004252389.tif 000015
2004252389.tif 000016
2004252389.tif 000017
2004252389.tif 000018
2004252389.tif 000019
2004252389.tif 000020
2004252389.tif 000021
2004252389.tif 000022
2004252389.tif 000023
2004252389.tif 000024
2004252389.tif 000025
2004252389.tif 000026
2004252389.tif 000027
2004252389.tif 000028
2004252389.tif 000029
2004252389.tif 000030
2004252389.tif 000031
2004252389.tif 000032
2004252389.tif 000033
2004252389.tif 000034
2004252389.tif 000035
2004252389.tif 000036
2004252389.tif 000037
2004252389.tif 000038
2004252389.tif 000039
2004252389.tif 000040
2004252389.tif 000041
2004252389.tif 000042
2004252389.tif 000043
2004252389.tif 000044
2004252389.tif 000045